(57)【要約】      （修正有）【課題】衝撃を十分に緩和することができるとともに、適度な指圧効果を得ることができ、しかも速乾性に優れる指圧クッション材およびスリッパを提供する。【解決手段】熱可塑性弾性樹脂からなる所定線径の連続した線条を曲がりくねらせてランダムループを形成しそれぞれのランダムループの接触部の大部分が融着されてなる三次元立体構造網状体で形成されるベース部材１１上に、別途用意される前記三次元立体構造網状体を加熱圧縮することで形成される複数の突起１４を有する上敷部材１２を設置し、これらベース部材１１と上敷部材１２とを縫い糸１３により縫合して結合することで指圧クッション材を構成し、該指圧クッション材を、足を載せるスリッパ本体２の芯材７として用いることで目的とするスリッパを得る。【選択図】図３
0003209588.tif 000002
【実用新案登録請求の範囲】
【請求項１】
熱可塑性弾性樹脂からなる所定線径の連続した線条を曲がりくねらせてランダムループを形成しそれぞれのランダムループの接触部の大部分が融着されてなる三次元立体構造網状体で形成されるベース部材上に、別途用意される前記三次元立体構造網状体を加熱圧縮することで形成される複数の突起を有する上敷部材を設置し、これらベース部材と上敷部材とを結合部材で結合してなることを特徴とする指圧クッション材。
【請求項２】
足を載せるスリッパ本体の芯材として請求項１に記載の指圧クッション材を用い、前記上敷部材における前記突起が当該スリッパ本体に載せられる足の足裏と向い合うように前記指圧クッション材を配設してなることを特徴とするスリッパ。
【考案の詳細な説明】
【技術分野】
【０００１】
本考案は、指圧機能とクッション性を兼ね備える指圧クッション材およびそれを用いて構成されるスリッパに関するものである。
【背景技術】
【０００２】
従来、例えば室内履きとして使用されるスリッパにおいては、足を載せるスリッパ本体の芯材として厚紙や合成繊維等から形成されるものを用いることが多い。また、多数の突起を有する上敷をスリッパ本体上に敷設することにより、指圧機能を付加したものが提案されている（特許文献１参照）。
【先行技術文献】
【特許文献】
【０００３】
【特許文献１】実公平３−４７５２２号公報
【０００４】
しかしながら、厚紙や合成繊維等から形成される芯材でスリッパ本体を構成したスリッパでは、水洗いすると、芯材が変質する場合があり、洗濯することが事実上不可能であり、仮に水洗いしても変質しない芯材を用いた場合でも乾燥時間が長くなるという問題点がある。
【０００５】
また、スリッパ本体の芯材を厚紙や合成繊維等で形成した場合、クッション性が乏しいため、衝撃を十分に緩和することができず、そのようなスリッパ本体に多数の突起を有する上敷を敷設した場合、上敷の突起から足裏が受ける刺激が強すぎて、適度な指圧効果を得ることができないという問題点がある。
【考案の概要】
【考案が解決しようとする課題】
【０００６】
本考案は、前述のような問題点に鑑みてなされたもので、衝撃を十分に緩和することができるとともに、適度な指圧効果を得ることができ、しかも速乾性に優れる指圧クッション材およびスリッパを提供することを目的とするものである。
【課題を解決するための手段】
【０００７】
前記目的を達成するために、第１考案による指圧クッション材は、
熱可塑性弾性樹脂からなる所定線径の連続した線条を曲がりくねらせてランダムループを形成しそれぞれのランダムループの接触部の大部分が融着されてなる三次元立体構造網状体で形成されるベース部材上に、別途用意される前記三次元立体構造網状体を加熱圧縮することで形成される複数の突起を有する上敷部材を設置し、これらベース部材と上敷部材とを結合部材で結合してなることを特徴とするものである。
【０００８】
次に、第２考案によるスリッパは、
足を載せるスリッパ本体の芯材として第１考案に係る指圧クッション材を用い、前記上敷部材における前記突起が当該スリッパ本体に載せられる足の足裏と向い合うように前記指圧クッション材を配設してなることを特徴とするものである。
【考案の効果】
【０００９】
本考案の指圧クッション材およびスリッパによれば、ベース部材上に設置された上敷部材の上側に人体の特定部位（足）を載せると、人体の特定部位（足）がベース部材によって弾性的に支えられるとともに、上敷部材に形成された複数の突起によって人体の特定部位（足裏）の複数箇所が押圧されるので、衝撃を十分に緩和することができるとともに、適度な指圧効果を得ることができる。また、水に濡れたとしても、ベース部材および上敷部材を構成する三次元立体構造網状体に水が吸収されることなく網目から水が抜け落ちるので、速乾性に優れるという効果を奏する。
【図面の簡単な説明】
【００１０】
【図１】本考案の一実施形態に係る指圧クッション材を用いたスリッパの表面側全体斜視図である。
【図２】同スリッパの裏面側全体斜視図である。
【図３】同スリッパの内部構造を示す図で、（ａ）はスリッパ本体の芯材を露出した状態図、（ｂ）はスリッパ本体の底材を露出した状態図である。
【考案を実施するための形態】
【００１１】
次に、本考案による指圧クッション材およびスリッパの具体的な実施の形態について、図面を参照しつつ説明する。
【００１２】
＜スリッパの概略説明＞
図１に示されるスリッパ１は、足を載せることが可能な形状寸法のスリッパ本体２と、スリッパ本体２に載せられた足の甲を覆う甲覆い部３とを備え、甲覆い部３の両側部をスリッパ本体２に縫合により接合して構成されている。ここで、甲覆い部３は、合成繊維等からなる不織シートを芯材として該芯材を上下（表裏）２枚のメッシュ生地で挟んでそれらメッシュ生地の前後端縁を縫合してなるものである。
【００１３】
＜スリッパ本体の概略説明＞
図１、図２並びに図３（ａ）および（ｂ）に示されるように、スリッパ本体２は、床等に接触される底材５と、この底材５の上方に配されてその底材５の全体を覆うメッシュ生地からなる上カバー材６と、これら底材５と上カバー材６との間に介在される芯材７と、上下に重ねられた芯材７および底材５の外周を取り巻く帯状のメッシュ生地からなる外周カバー材８とを備え、底材５の外周縁と外周カバー材８の下縁とが縫合されるとともに、外周カバー材８の上縁と上カバー材６の外周縁とが縫合されて構成されている。
【００１４】
＜底材の説明＞
図２および図３（ｂ）に示されるように、底材５は、上下（表裏）２枚のメッシュ生地を張りのある無数の連結糸によって結び付けて、厚みのあるシート状に編成してなる立体メッシュシートにより構成されている。立体メッシュシートは、立体的な編目構造を有する一定の厚みを持った一体的な編物であって、優れた通気性とクッション性を一つの部材で同時に実現することができる。
【００１５】
表裏のメッシュ生地は、亀甲模様や格子模様などさまざまなパターン（本例では亀甲模様）の組織にすることができ、互いの組織を同じものにも異なったものにもできる。中でも表裏のメッシュ生地が亀甲模様となったハニカム構造のものが、隙間が大きくて通気性がよく、軽いながらも高い強度を得ることができ、スリッパ１の底材５に適している。
【００１６】
表裏のメッシュ生地に使用する繊維は、特に限定されるものではないが、乾きやすくするためには例えばポリエステル等の合成繊維が適している。連結糸は、立体メッシュシートにクッション性を持たせる働きを担うので、ナイロン等の張りのある繊維を使用するのが好ましい。なお、立体メッシュシートは、合成繊維を使用した場合には滑り易いので、床に接する面には滑り止め処理が必要であり、本実施形態では、スリッパ本体２の接地面側において、前部および後部における底材５の立体メッシュシートに滑り止めパッド９がそれぞれ貼り付けられている。
【００１７】
＜芯材の説明＞
図３（ａ）に示されるように、芯材７は、指圧機能とクッション性を兼ね備える指圧クッション材により構成されており、上下に重ね合わされた２枚のベース部材１１上に上敷部材１２を設置し、これらベース部材１１と上敷部材１２とを例えば縫い糸１３（本発明の「結合部材」に相当する。）で縫合し結合することで構成されている。
【００１８】
ベース部材１１は、例えばポリエステル等の熱可塑性弾性樹脂からなる所定線径の連続した線条を曲がりくねらせてランダムループを形成しそれぞれのランダムループの接触部の大部分が融着されてなる三次元立体構造網状体で形成されている。この三次元立体構造網状体においては、線条の線径が例えば５ｍｍ以下であり、上下両面が実質的にフラット化されており、見掛け密度が例えば０．００５〜０．１０ｇ／ｃｍ３の範囲にあり、厚みが５ｍｍ以上であるのが好ましい。
【００１９】
上敷部材１２は、ベース部材１１を形成する前記三次元立体構造網状体とは別に用意される同構造の三次元立体構造網状体を加熱圧縮することで形成される複数の突起１４を有している。上敷部材１２は、突起１４を形成するために三次元立体構造網状体を局所的に押し出す凸部が形成されてなる雄型と、この雄型における凸部に対応する凹部が形成されてなる雌型とを備えてなる熱プレス盤を用いて作製され、三次元立体構造網状体に対し熱を加えながら雄型と雌型とで圧縮する熱プレス加工を施すことにより、全体的に扁平な形状に形成されると同時に複数の突起１４が形成される。このようにして熱プレス加工によって作製された上敷部材１２は、冷却・硬化後は全体的に硬質なものとなるため、突起１４によって足裏を効果的に押圧することができる。
【００２０】
＜作用効果の説明＞
以上に述べたように構成されるスリッパ１によれば、ベース部材１１上に設置された上敷部材１２の上側に足を載せると、足がベース部材１１によって弾性的に支えられるとともに、上敷部材１２に形成された複数の突起１４によって足裏の複数箇所が押圧されるので、衝撃を十分に緩和することができるとともに、適度な指圧効果を得ることができる。また、スリッパ１が水に濡れたとしても、甲覆い部３を構成する合成繊維等からなる不織シートや表裏のメッシュ生地に水が吸収されることなく網目から水が抜け落ち、上カバー材６や外周カバー材８のメッシュ生地でも同様に網目から水が抜け落ちるとともに、ベース部材１１および上敷部材１２を構成する三次元立体構造網状体に水が吸収されることなく網目から水が抜け落ちるので、速乾性に優れるという効果を奏する。
【００２１】
以上、本考案の指圧クッション材およびスリッパについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２２】
本考案の指圧クッション材は、衝撃を十分に緩和することができるとともに、適度な指圧効果を得ることができ、しかも速乾性に優れるという特性を有していることから、スリッパ等の履物は勿論のこと、座クッション等の敷物や、その他バスマットや背凭れ等の芯材としての用途に好適に用いることができ、産業上の利用可能性が大である。
【符号の説明】
【００２３】
１    スリッパ
２    スリッパ本体
３    甲覆い部
５    底材
６    上カバー材
７    芯材（指圧クッション材）
８    外周カバー材
１１  ベース部材
１２  上敷部材
１３  縫い糸（結合部材）
１４  突起
【図１】
0003209588.tif 000003
【図２】
0003209588.tif 000004
【図３】
0003209588.tif 000005